【事件の表示】
　特願２０１４−　１６１３９「魚類用飼料」拒絶査定不服審判事件〔平成２７年　８月　３日出願公開、特開２０１５−１３９４４５、請求項の数（１）〕について、次のとおり審決する。
【結　論】
　原査定を取り消す。
　本願の発明は、特許すべきものとする。
【理　由】
　
第１　手続の経緯 
　本願は、平成２６年１月３０日の出願であり、原審では、平成２９年８月２２日付け（平成２９年８月２９日発送）で拒絶理由が通知がされ、平成２９年１０月２７日付けで手続補正がされ、平成３０年２月１３日付け（平成３０年２月２０日発送）で拒絶査定（原査定）がされた。 
　本件はこれに対し、原査定の謄本送達から３月以内の平成３０年５月１８日に、拒絶査定不服審判の請求がされたものである。 
　
　
第２　原査定の概要 
　原査定（平成３０年２月１３日付け拒絶査定）の概要は次のとおりである。 
　本願請求項１に係る発明は、下記引用文献１に記載された発明及び引用文献２〜３に記載された周知技術に基いて、当業者が容易に発明できたものであるから、特許法第２９条第２項の規定により特許を受けることができない。 
　引用文献： 
　１．特開平１０−２２９８３０号公報 
　２．特開２０００−１８４８５６号公報 
　３．特開２００７−１５１５４９号公報 
　
　
第３　本願発明 
　本願請求項１に係る発明（以下、「本願発明」という。）は、平成２９年１０月２７日付け手続補正書で補正された特許請求の範囲の請求項１に記載された事項により特定される発明であって、以下のとおりの発明である。
　
「【請求項１】
　マメ科植物又はその抽出物及びシソ科植物又はその抽出物を有効成分とする飼料添加物を飼料全質量に対して０．１〜１０質量％含有する魚類用飼料であって、前記マメ科植物がルイボスであり、前記シソ科植物がバジルであることを特徴とする魚類用飼料。」 
　
　
第４　引用文献、引用発明等 
１　引用文献１
（１）記載事項
　原査定に引用された引用文献１には、図面とともに次の事項が記載されている（下線は、本審決で付した。以下同様。）。 
　
ア
 「【０００１】
【発明の属する技術分野】本発明は、養殖魚用の飼料に関するものであり、更に詳しくは、
養殖された食用の魚
から得られる肉が短期間で劣化することを防止して、鮮度劣化による旨味、風味の早期喪失、臭いの発生を抑制しうるようにした養殖魚用飼料
【０００２】
【従来の技術】マグロ、カツオ、ブリなどの赤身魚は、マダイやヒラメのような白身魚と異なり、全筋肉中に血合い肉（血液色素や脂肪を多量に含むもの）の占める割合が高い。血合い肉は、普通肉（白身魚の白身肉）に較べ短期間の劣化によりまずくなりやすい。カツオの場合、通常、血合い肉は、氷蔵１日目で旨味が低下し、ついでコクも消失し、更に、時間の経過とともに風味の低下も著しい。また、普通肉では、氷蔵１週間でも臭さを感じないが、赤身魚の血合い肉では、２日目で強い臭気が認められ、１週間では脂焼け（脂の劣化臭）の強いものとなる。
【０００３】
【発明が解決しようとする課題】本発明は上記の点に鑑み、食用の養殖魚、特に赤身魚の血合い肉の短期間の劣化による鮮度低下による旨味、風味の低下、悪臭の発生を抑制することが可能な方法を提供せんとするものである。
【０００４】
【課題を解決するための手段】本発明者らは、以上のような問題点を解決するため鋭意研究を重ねた結果、養殖する食用魚に給与する飼料に香辛料を添加することで、上記の問題を根本的に解決しうることを見出し、本発明を完成させた。
【０００５】古来より香辛料は、食品の香り付けと同時にその機能性が様々な分野で利用されてきた。香辛料の各種の機能性の中で、抗菌性とともに抗酸化性については多くの研究結果が報告されている。この作用は、香辛料の精油中に含まれる活性成分、主として、ポリフェノール類が有効な働きをする。先に、本発明者らは、家畜、家禽の飼料に香辛料を添加し、その脂肪分や鶏卵中に香辛料の有効成分が移行し、脂肪が酸化され難いことを確認した（特開平７−３１３８２号公報、特開平７−７９７０９号公報）。本発明者らは、さらに研究を重ねた結果、魚類においても、養殖に際して飼料に香辛料を添加することにおいて、魚肉の鮮度保持効果を有することを確認し、また、ミオグロビンの抗酸化作用も有することが確認でき、本発明を完成したのである。
【０００６】すなわち本発明は、
シソ科、ナス科、ゴマ科、キク科、コショウ科、ニクズク科、クスノキ科、モクレン科、アブラナ科、マメ科、ミカン科、フトモモ科、セリ科、及びショウガ科からなる群から選択される少なくとも１種の香辛料を添加したことを特徴とする養殖魚用飼料
ハッカ、セーボリー、バジル、マジョラム、オレガノ、セージ、タイム、ローズマリー、レッドペッパー、チリペッパー、パプリカ、ゴマ、タラゴン、コショウ、ナットメグ、メース、ベイリーフ、スターアニス、マスタード、フェヌグリーク、サンショウ、クローブ、オールスパイス、ディル、セロリ、キャラウェイ、コリアンダー、クミン、フェンネル、パセリ、アニス、ガーリック、オニオン、カルダモン、ジンジャー及びターメリックからなる群から選択される少なくとも１種の香辛料を添加したことを特徴とする養殖魚用飼料
イ
「【０００８】
【発明の実施の形態】本発明に用いられる香辛料について説明する。本発明でいう香辛料とは、広義の香辛料であり、地中海沿岸を中心に産出し、芳香を第一とするハーブ類と、熱帯及び亜熱帯に産出し、香気と辛味の強いスパイス類との両者を含むものである。これらの香辛料のもつ本来の機能として知られているものは、香気と辛味の刺激による食用増進効果、これらの香辛料に含まれる成分の化学作用や香りによる魚や肉の不快臭に対する矯臭（マスキング）や芳香による臭い付け、更には、香辛料に特有の色素による着色等が主なものである。また、香辛料の中には前記のような香気や辛味以外に、防腐作用、生理薬理作用等の効果を有するものもある。
本発明は、香辛料の有する鮮度保持効果に着目し、これを食用魚を養殖するための飼料に用いることで、この飼料を給与して養殖した食用魚から得られる肉の鮮度保持力を増大せしめ、その味、風味、臭いなどを改善するものである
【０００９】本発明に用いられる香辛料は、シソ科、ナス科、ゴマ科、キク科、コショウ科、ニクズク科、クスノキ科、モクレン科、アブラナ科、マメ科、ミカン科、フトモモ科、セリ科、及びショウガ科の中から選択される。
【００１０】具体的な香辛料としては、ハッカ、セーボリー、バジル、マジョラム、オレガノ、セージ、タイム、ローズマリー、レッドペッパー、チリペッパー、パプリカ、ゴマ、タラゴン、コショウ、ナットメグ、メース、ベイリーフ、スターアニス、マスタード、フェヌグリーク、サンショウ、クローブ、オールスパイス、ディル、セロリ、キャラウェイ、コリアンダー、クミン、フェンネル、パセリ、アニス、ガーリック、オニオン、カルダモン、ジンジャー及びターメリックが挙げられる。
【００１１】さらに、前記各種香辛料の中でも、特に、シナモン、ナットメグ、ジンジャー、ローズマリー、セージ、タイム、オレガノ、フェンネル及びオールスパイスが本発明において好ましいものである。
【００１２】本発明では、上記のような各種の香辛料の中から選択される
１種の香辛料を単独で、又は２種の香辛料以上を組み合わせて用いることができる。
【００１３】そして、前記のような香辛料を給与して食用魚を養殖することで、この養殖魚から得られる肉を改質することができ、鮮度の低下を防止し、味、風味の低下、臭いなどを改善することができる。このように食用の養殖魚に香辛料を与えて飼育するに際しては、これらの香辛料をそのまま養殖魚に与えてもよいが、魚が香辛料を摂取し易くするために、本発明では、香辛料を飼料に添加して供与する。飼料に添加する際の香辛料の形態としては、粉体状のものを添加することが好ましい。
【００１４】本発明を適用しうる食用の養殖魚の種類に特に制限はないが、特に、マグロ、カツオ、ブリ、ハマチなどの赤身魚の場合に本発明の効果が顕著である。
【００１５】また、香辛料を配合する際のベースとなる飼料には特に限定はなく、各種養殖魚の種類に応じた一般的な配合の飼料でよい。例えば、添加される上記のような香辛料の他に、この飼料には、魚粉、小麦粉、馬鈴薯澱粉、酵母、ミネラル、ビタミン類、アミノ酸などを含むことができる。又、
飼料への香辛料の添加量は、飼料中に香辛料を０．１〜１．０重量％程度添加すると効果があり
ウ
「【００１６】
【実施例】比較例の飼料として、魚粉を７．０ｋｇ、馬鈴薯澱粉を０．５ｋｇ、酵母、ビタミン類、ミネラル類を１．０ｋｇ、小麦粉１．５ｋｇを混合し、湿式造粒後、乾燥し、養殖魚用飼料１０．０ｋｇを得た。また、上記比較例の飼料配合中に、香辛料を数種組み合わせて小麦粉の一部と置き換えて混合し、湿式造粒後、乾燥して実施例１〜３の養殖魚用飼料を得た。上記の各種養殖魚用飼料の配合を表１に示した。なお、これらの実施例で使用した香辛料（１）〜（３）は、表１の欄外に示した各３種類の粉体状香辛料を、配合比率（重量比）が１：１：１となるように混合したものである。」
エ
　段落【００１７】の【表１】中には、
飼料１０ｋｇ
香辛料
０．２ｋｇ配合
　また、同段落【００１７】の【表１】の欄外には、
「香辛料（１）」は「
シナモン、ナットメグ、ジンジャー
ローズマリー、セージ、タイム
オレガノ、フェンネル、オールスパイス
（２）引用文献１に記載された発明
　上記（１）より、引用文献１には次の発明（以下、「引用発明１」という。）が記載されていると認められる。 
　
 「シソ科、ナス科、ゴマ科、キク科、コショウ科、ニクズク科、クスノキ科、モクレン科、アブラナ科、マメ科、ミカン科、フトモモ科、セリ科、及びショウガ科からなる群から選択される１種又は２種以上の香辛料を０．１〜１．０重量％程度添加した、
　又は、
　ハッカ、セーボリー、バジル、マジョラム、オレガノ、セージ、タイム、ローズマリー、レッドペッパー、チリペッパー、パプリカ、ゴマ、タラゴン、コショウ、ナットメグ、メース、ベイリーフ、スターアニス、マスタード、フェヌグリーク、サンショウ、クローブ、オールスパイス、ディル、セロリ、キャラウェイ、コリアンダー、クミン、フェンネル、パセリ、アニス、ガーリック、オニオン、カルダモン、ジンジャー及びターメリックからなる群から選択される１種又は２種以上の香辛料を０．１〜１．０重量％程度添加した、
　又は、
　シナモン、ナットメグ及びジンジャーの３種の香辛料、又は、ローズマリー、セージ及びタイムの３種の香辛料、あるいは、オレガノ、フェンネル及びオールスパイスの３種の香辛料を、飼料１０ｋｇ中に０．２ｋｇ配合した、
　養殖魚用飼料。」
２　引用文献２
　原査定に引用された引用文献２には、次の事項が記載されている。 
ア
「【０００１】
【発明の属する技術分野】本発明は、
一般に廃棄物として処理されている植物搾汁滓を原料とする飼料
【０００２】本発明によって
製造される飼料は蛋白質含有量が高いので魚介類の栽培、養殖、畜養に好適であり
イ
「【０００６】
【発明が解決しようとする課題】本発明者等は、より有用な飼料を提供することを技術的課題として、予備的な研究中に得られた
各種微生物醗酵物を用いて魚介類用や動物用の飼料を製造
【０００７】そして、本発明者等は前記試験・研究において、飼料としての価値は、高蛋白質とその周辺関連物の成分組成に起因するものであり、代表的なモデルとしてはかつを節（可食部１００g 当たり：エネルギー３５６Kcal, 水分１５．２g,蛋白質７７．１g,脂質２．９g,糖質０．８g,灰分４．０g ）が挙げられ、飼料の製造に当たっての理想的な数値の一つの目標となることを知った。
【０００８】そこで、本発明者等は前記知見を基礎として、さらなる研究を推進した結果、
植物搾汁滓を原料として蛋白質含有量が高い醗酵蛋白飼料を効率よく製造できる
【０００９】
【課題を解決するための手段】前記技術的課題は次の通りの本発明によって達成できる。
【００１０】即ち、本発明は、
植物搾汁滓の粉末に電子線を照射して反応活性の向上と滅菌とを行った後、当該植物搾汁滓の粉末に菌糸型真菌を加えて水分の存在下において該菌糸型真菌を繁殖させると共に酵母型真菌及びその培地成分を加えて醗酵させることを特徴とする飼料
ウ
「【００１６】本発明の構成をより詳しく説明すれば次の通りである。
【００１７】先ず、
本発明において原料とする植物搾汁滓の主なものは、柑橘類果汁残滓、果実果汁しぼり粕、コーヒー豆抽出滓、各種茶類（緑茶，ウーロン茶，紅茶，ほうじ茶，杜仲茶，柿葉茶，ギムネマ茶，甘草茶，麦茶，玄米茶，ハトムギ茶，ヨモギ茶，プーアル茶，バナバ茶，ハーブ茶，甜凉茶，クコ茶，ドクダミ茶，ハス茶，ルイボス茶，天台烏薬茶等）からの抽出滓や野菜ジュース滓などであり、これらは、一般に棄却するか、焼却するか、効果の期待できない肥料や飼料増量材にするか等のごとく極めて利用価値の少ないものである
【００１８】なお、植物搾汁滓の成分は、セルロース（主成分β−Ｄ−グルカン）、ヘミセルロース（主成分キシラン）、ペクチン（主成分ガラクツロナン）、タンニン（苦味成分）及び若干量の糖分（グルコース，フラクトース，スクロース，マンニット等）である。
【００１９】現在、工業的に最も多量に得られている果汁は柑橘類果汁であって全果汁の６０％を占めており、その製造に際しては莫大な量の柑橘類搾汁残滓が副生している。柑橘類搾汁滓の年間発生量は米国約５５万トン、ブラジル約５０万トン、中国約３０万トン、日本約８万トンと推定されている。柑橘類搾汁残滓を石灰で中和後圧縮して固体と液体に分離し、前者を乾燥すれば乾燥搾汁滓となり、後者を減圧濃縮すると回収リモネンと着色したシトラス・モラセス粘液（冷却により固化する）となる。この乾燥搾汁滓にシトラス・モラセスをふりかけて混合パルプ成型品となしたものは現在家畜飼料用として出荷されてはいるが、ほとんど栄養的価値はなく単に飼料の増量材にしか過ぎないとみられている。」
エ
「【００２４】高分子材料に電子線を照射すると主鎖分断と架橋反応が同時に起こり、また、電子線酸化反応による高分子劣化等も併起する。どの反応が優先するかは、化学構造と照射効果又は雰囲気などの条件によって決まる。高分子材料がリグニン質の多い針葉樹材料の場合には強い電子線照射等を行った後、糖化酵素を用いて分解を行わせることによって糖化される。
【００２５】植物搾汁滓に電子線を照射する場合には、原料を予め細かく粉砕しておくことが照射効率を上げるために望ましく、これは乾燥搾汁滓であっても湿潤搾汁滓であっても、また水中に分散した状態の搾汁滓であっても必要なことである。
【００２６】本発明に適する植物搾汁滓の粒度は２０メッシュ以上であり、特に好ましくは実用的見地からして２０〜２００メッシュである。
【００２７】そして、
本発明者等は、粒度を２０〜２００メッシュにすれば電子線照射により植物搾汁滓の粉末の化学的及び生化学的な反応活性が著しく向上することを確かめており、また、同時に滅菌も行われることを確かめている
オ
「【００４３】実施例１：バレンシア・オレンジ（チトルス・シネンシス）の果実を洗浄し、これを圧搾機を用いて搾汁すれば、液汁（果汁に若干のｄ−リモネンを含む混合物）と搾汁滓とが大体半々ずつ得られる。この搾汁滓には水分が約８０％，ｄ−リモネンが０．７〜１．２％程度含まれている。このものには炭水化物が１４〜１８％，粗繊維が２．２〜２．５％，粗脂質が約０．２％，粗蛋白が約１．０％，総窒素分が約１．０％，灰分が約０．８％含まれており、pHは３．７である。この搾汁滓に０．６％の石灰乳を加えて中和混練した後、３０分間放置すると離水が起こってくるので、これを再度圧搾すると初めの原料果実の約２５％程度の液体が得られる。なお、この液体を減圧濃縮すると糖分が約４０％のシトラス・モラセスが得られる。
【００４４】前記の再度圧搾を行った
柑橘粕（パルプ）を
微粉砕し
電子線照射をする
【００４５】次いで、この
電子線照射物５００g に
菌糸型真菌としてトリコデルマ・ビリデ１２g 
を加えて
７日間保った後
酵母型真菌としてサツカロマイセス・セルビシエ５g 
を加えて
醗酵させる
醗酵蛋白飼料４００ｇが得られた。このものは養魚用の配合飼料の原料になった
３　引用文献３
　原査定に引用された引用文献３には、図面とともに次の事項が記載されている。 
ア
「【０００２】
　近年、不健康な食事やライフスタイルの変化により、
生体に有害な物質
食品添加物
消毒剤
保存料
農薬
煙草の煙
環境汚染物質
水銀や、鉛、アルミニウム、ヒ素のように人体に有害な金属類などに汚染される可能性も少なくはない
【０００３】
　そこで、最近では
体内に蓄積した毒素を取り除く様々な方法が提案されており、一般に「デトックス（解毒）」と呼ばれている
【０００４】
　上記「デトックス」の方法には、１〜２日間断食を行うものから、長期間かけて食生活を改善するものまで数多く紹介されており、特に多忙な毎日を送っている現代人には、自宅で週末などを利用して行うセルフ断食に人気がある。そこで、この短期間の断食方法として、次のような方法が紹介されている。（非特許文献１ ｐ．２３参照）
（１）水だけを飲む（毎日少なくとも２Ｌのミネラルウォーターか湧き水、蒸留水を飲む）。
（２）ジュースだけを飲む（リンゴ、ニンジン等）。
（３）プロバイオティクス（生きたまま腸に届く乳酸菌入り）ヨーグルトとジュースをとる。
（４）リンゴやブドウのようにひとつの食物だけを食べ、それから水を飲む。個人の好みでジュースを飲んでもいい。
【０００５】
　しかし、実際にこれらの方法で断食を実施する場合、次のような問題がある。（１）の方法では、すぐには排出できないほどの大量の毒素が一度に血液中に流れ込み、「中毒性のデトックス」を引き起こす場合があり、この「中毒性のデトックス」に至ると、体調を崩し、炎症や肌の吹き出物、筋肉や関節の痛みなどの症状が起きることがある。（非特許文献１ 
ｐ．２４参照）
【０００６】
　一方、（２）〜（４）の方法では、無農薬や有機栽培の食材（野菜、果実）を推奨しており、個人でこのような食材を調達し、調理するには大変な手間暇がかかる。また、断食中に摂取すべき必要カロリーや塩分、ミネラル、各種ビタミン量の管理が困難であり、摂取が不十分な場合には、めまい、動悸、頭痛、不眠、吐き気、便秘などの副作用を伴うこともある。
【０００７】
【非特許文献１】「デトックス・プラン―誰にでもできる。心と体の浄化・解毒の総合プログラム」、産調出版
【発明の開示】
【発明が解決しようとする課題】
【０００８】
　本発明は、このような従来の問題を解決しようとするもので、体内浄化用キット及び体内浄化方法を開発するにあたり、以下の３点の課題解決を目指した。
【０００９】
　すなわち
第１の課題は、１ヶ月から３ヶ月の長期間や週末などの１〜２日間の短期間で、優れたデトックス（解毒）作用があること。第２の課題は、デトックスが引き起こす肉体面や精神面に及ぼすリスクが低く、安全性が高いこと。第３の課題は、実施者が簡単な準備で、無理なく実施できること
イ
「【発明を実施するための最良の形態】
【００２１】
　本発明による体内浄化用キット及び体内浄化方法の一例を以下に詳述する。
【００２２】
　まず［ア群］は、生薬を含む体内浄化用食品であって、該生薬として、漢方医学でいう帰経が５つのカテゴリー、すなわち（Ａ）肝及び胆、（Ｂ）心、心包、小腸及び三焦、（Ｃ）脾及び胃、（Ｄ）肺及び大腸、（Ｅ）腎及び膀胱の（Ａ）〜（Ｅ）全てのカテゴリーに対して有効となるように１種又は２種以上の生薬であることが、体内浄化効果の点で好適である。
【００２３】
　（Ａ）の帰経が肝及び胆である生薬としては、特に限定されるものではなく、霊芝、杜仲、桂皮、ウイキョウ、当帰、熟地黄、何首烏、白芍薬、枸杞子、サンザシ、五味子、山茱萸、烏梅、覆盆子、連翹、菊花、タンポポ、オウゴン、黄連、牡丹皮、川キュウ、ウコン、延胡索、桃仁、紅花、丹参、鶏血藤、香附、秦ギョウ、酸棗仁、マイカイカ、柏子仁、ピルベアリングスパージ、ミルラ、ショウブ、ヤエムグラ、アロエ、マリーゴールド、アマラキ、フェンネル、芍薬、旱蓮草、ローズマリー、イラクサ、薄荷、セイヨウメギ、柴胡、アメリカヒトツバタゴ、セイヨウアザミ、マリアアザミ（オオアザミ、ミルクシスル）、セイヨウタンポポ、クマツヅラ、大黄、エゾウコギ、シベリア人参、五加皮、レモンバーム、ヨモギ、金櫻子、ホップ、トケイソウ、グクル、女貞子、カッコウチョロギ、ソバ、セイヨウノコギリソウ、ヤロー、益母草、ホーソン、マロニエ、メリロート、ラベンダー、ナツシロギク、フィーバーフュー、セロリ、デビルズクロー、ウィッチヘーゼル、パセリ、シツリシ、オドリコソウ、ハゴロモグサ、チェストツリー、ヘロニアス、ホーステイル、スギナ、仙鶴草、ローマンカモミール、リンデン、フジバカマ、クワ、夏枯草、トウモロコシ、アーティチョーク、ブドウ葉、サフラン、マテ茶、ローヤルゼリー、タマネギ、荷葉、ハイビスカス、荊芥、田七ニンジン、シザンドラ、アキノキリンソウ、ゴールデンロッド、リンゴ、モモ、松の実、胡麻、決明子及びドクダミなどが挙げられる。
【００２４】
　（Ｂ）の帰経が心、心包、小腸及び三焦である生薬としては、特に限定されるものではなく、朝鮮人参、霊芝、甘草、桂皮、桂枝、当帰、熟地黄、麦門冬、西洋参、百合、赤小豆、貝母、五味子、蓮子、連翹、オウゴン、黄連、牡丹皮、川キュウ、ウコン、紅花、丹参、酸棗仁、遠志、柏子仁、竜眼肉、ミルラ、ショウブ、マリーゴールド、ハコベ、ローズマリー、ハス、サンダルウッド、柴胡、セイヨウアザミ、マリアアザミ（オオアザミ・ミルクシスル）、ブルースカルキャップ、カノコソウ、レモンバーム、ホップ、トケイソウ、益母草、メリロート、ラベンダー、アルニカ、セイヨウシロヤナギ、バラ、クスノキ、ブラックコホッシュ、オキナグサ、ローマンカモミール、アーティチョーク、サフラン、マテ茶、荷葉、クマザサ、リンゴ、モモ及びほうれん草などが挙げられる。
【００２５】
　（Ｃ）の帰経が脾及び胃である生薬としては、特に限定されるものではなく、朝鮮人参、白朮、黄耆、山薬、霊芝、大棗、甘草、党参、益智仁、桂皮、ウイキョウ、生姜、胡椒、丁香、烏薬、ニクズク、当帰、白芍薬、火麻仁、麦門冬、陳皮、サンザシ、麦芽、神麹、ヨクイニン、茯苓、砂仁、カッコウ、蒼朮、赤小豆、白芥子、ケルプ、烏梅、蓮子、金銀花、タンポポ、オウゴン、黄連、延胡索、鶏血藤、香附、秦ギョウ、マイカイカ、竜眼肉、ヤナギハッカ、オオグルマ、タイム、ミルラ、セージ、ショウブ、ビロウドモウズイカ、アロエ、アマラキ、アイブライト、フェンネル、ゴボウ、インドセンダン、マツヨイグサ、芍薬、ハコベ、ローズマリー、イラクサ、ウスベニタチアオイ、ハス、サンダルウッド、セイヨウメギ、セイヨウタンポポ、クマツヅラ、大黄、カルダモン、アカニレ、ニガヨモギ、コケモモ、カノコソウ、ツボクサ、ゴツコラ、オート麦、ヨモギ、金櫻子、ニンニク、トウガラシ、ソバ、セイヨウノコギリソウ、ヤロー、高良姜、ホーソン、ナツシロギク、フィーバーフュー、コンフリー、デビルズクロー、補骨脂、スモールクランベリー、ノコギリパルメット、ハゴロモグサ、チェストツリー、ヘロニアス、シモツケソウ、仙鶴草、ローマンカモミール、フジバカマ、ティーツリー、アルファルファ、ワイルドヤム、スリッパリーエルム、クズ、葛花、ツルニチニチソウ、マテ茶、ローヤルゼリー、荷葉、カイエンヌ、シソ、葱白、田七ニンジン、ほうれん草、ザクロ果実及び
黒豆
【００２６】
　（Ｄ）の帰経が肺及び大腸である生薬としては、特に限定されるものではなく、朝鮮人参、黄耆、山薬、霊芝、甘草、党参、桂枝、生姜、胡椒、胡桃仁、ニクズク、火麻仁、麦門冬、西洋参、百合、陳皮、ヨクイニン、茯苓、カッコウ、貝母、杏仁、白芥子、桔梗、五味子、烏梅、金銀花、連翹、菊花、蒼耳子、オウゴン、黄連、黄柏、ウコン、桃仁、遠志、柏子仁、ヤナギハッカ、オオグルマ、タイム、エキナセア、麻黄、ピルベアリングスパージ、セージ、訶子、ビロウドモウズイカ、エルダー、アロエ、アイブライト、ゴボウ、インドセンダン、マツヨイグサ、ハコベ、ローズマリー、ウスベニタチアオイ、薄荷、サンダルウッド、オオバコ、サイリウム、大黄、アカニレ、ニガヨモギ、コケモモ、カノコソウ、天門冬、アシュワガンダー、オトギリソウ、レモンバーム、ヨモギ、金櫻子、トケイソウ、
バジル
【００２７】
　（Ｅ）の帰経が腎及び膀胱である生薬としては、特に限定されるものではなく、山薬、霊芝、杜仲、益智仁、桂皮、桂枝、ウイキョウ、フェヌグリーク、丁香、烏薬、胡桃仁、熟地黄、何首烏、枸杞子、西洋参、茯苓、砂仁、沢瀉、ケルプ、五味子、山茱萸、蓮子、覆盆子、黄柏、牡丹皮、独活、遠志、柏子仁、麻黄、セージ、ビロウドモウズイカ、アマラキ、フェンネル、旱蓮草、イラクサ、ウスベニタチアオイ、ハス、セイヨウメギ、柴胡、アメリカヒトツバタゴ、クマツヅラ、カルダモン、アカニレ、ブルースカルキャップ、天門冬、ツボクサ、ゴツコラ、アシュワガンダー、オート麦、エゾウコギ、シベリア人参、五加皮、オトギリソウ、ヨモギ、金櫻子、ホップ、
バジル
黒豆
【００２８】
　本発明に用いる生薬の剤形は、例えば、植物体の各部位［全草、地上部、花、果実、花皮、葉、枝、幹、茎、樹皮、根茎、根皮、塊茎、根、種子、菌核、子実体、菌糸体、めかぶ（胞子葉又は成実葉）等］をそのまま用いることができる。また、これらをそのまま、或は、生薬を抽出溶媒により抽出した生薬抽出液や精油であってもよい。
【００２９】
　上記生薬抽出液や精油を得るには、例えば、生薬の刻みや粉末を、単独或は２種以上混合し、生薬の合計質量に対して５〜２５倍量、好ましくは８〜２０倍量の溶媒を加えて抽出すればよい。
　上記抽出溶媒としては、水、エタノール等のアルコール類、アセトン、エチルエーテル、酢酸エチルエステル、ヘキサン等の有機溶媒の１種以上を任意に組合せて使用することができる。
【００３０】
　得られた生薬抽出液は、特に限定されるものではなく、生薬抽出液をそのまま用いることもできるが、必要に応じて、濃縮液、粉末、ペースト状、ゲル状に加工しても良い。例えば、生薬抽出液を濃縮し、生薬抽出濃縮液が得られる。さらに、通常の乾燥方法、例えばスプレードライ、減圧濃縮乾燥、凍結乾燥等により乾燥して粉末、ペースト状、ゲル状にすることができる。また、抽出液は、必要に応じて、ろ過、イオン交換樹脂処理、活性炭処理など、一般的に適用される通常の手段を任意に選択して、吸着・脱色・脱臭などの処理を加えて精製してもよい。」
　
　
第５　対比・判断 
１　引用発明１との対比 
　本願発明と引用発明１とを対比する。 
　引用発明１における「シソ科、ナス科、ゴマ科、キク科、コショウ科、ニクズク科、クスノキ科、モクレン科、アブラナ科、マメ科、ミカン科、フトモモ科、セリ科、及びショウガ科からなる群から選択される１種又は２種以上の香辛料」、「ハッカ、セーボリー、バジル、マジョラム、オレガノ、セージ、タイム、ローズマリー、レッドペッパー、チリペッパー、パプリカ、ゴマ、タラゴン、コショウ、ナットメグ、メース、ベイリーフ、スターアニス、マスタード、フェヌグリーク、サンショウ、クローブ、オールスパイス、ディル、セロリ、キャラウェイ、コリアンダー、クミン、フェンネル、パセリ、アニス、ガーリック、オニオン、カルダモン、ジンジャー及びターメリックからなる群から選択される１種又は２種以上の香辛料」、「シナモン、ナットメグ及びジンジャーの３種の香辛料」、「ローズマリー、セージ及びタイムの３種の香辛料」、及び「オレガノ、フェンネル及びオールスパイスの３種の香辛料」は、いずれも植物を香辛料としての有効な成分材料として「養殖魚用飼料」に「添加」しているから、本願発明における「マメ科植物又はその抽出物及びシソ科植物又はその抽出物を有効成分とする飼料添加物」とは、「植物を有効成分とする飼料添加物」という点で共通する。
　引用発明１における香辛料の添加量である、「０．１〜１．０重量％程度」あるいは「飼料１０ｋｇ中に０．２ｋｇ」は、いずれも本願発明における「飼料全質量に対して０．１〜１０質量％含有する」に相当する。
　引用発明１における「養殖魚用飼料」は、本願発明における「魚類用飼料」に相当する。
　以上より、本願発明と引用発明１とは、次の点で一致する。 
 「植物を有効成分とする飼料添加物を飼料全質量に対して０．１〜１０質量％含有する魚類用飼料。」 
　
　一方、本願発明と引用発明１とは、以下の点で相違する。 
 （相違点） 
　飼料添加物について、
　本願発明では、「ルイボス」又はその抽出物、及び、「バジル」又はその抽出物、という特定の２つの植物の組合せを用いるのに対し、
　引用発明１では、使用する植物の選択肢の中に「バジル」、「シソ科」の植物、「マメ科」の植物が含まれるものの、「バジル」と「ルイボス」という２つの植物の組合せを添加するものではなく、植物を添加する目的も「香辛料」としてである点。
　
２　相違点についての判断 
　上記相違点について検討する。 
（１）引用文献１に基く検討
　引用文献１において、植物を飼料に添加する目的は、上記第４の１（１）アに摘記した段落【０００１】及び同イに摘記した段落【０００８】に記載されるとおり、「香辛料」として食用魚の肉の「鮮度保持力」を増大し「味、風味、臭いなどを改善」することである。
　そして、引用発明１においては、香辛料として使用し得る多数の植物が選択肢として存在する一方、「ルイボス」の選択肢は存在しない。また引用文献１のその他の記載を考慮しても、ルイボスをバジルと組み合わせれば食用魚の肉の鮮度保持力の点で有利であること、又はルイボスをバジルと組み合わせれば他の何らかの面で付加的な利点があること、あるいはルイボス単独で他の香辛料植物より有利な点があることを示唆するような記載はない。
　そのため、引用発明１において、使用する植物の選択肢の１つとして「バジル」が存在するものの、バジルと組み合わせて使用する植物材料として、さらにルイボスを選択して追加することは、引用文献１中に示唆されているということができない。
（２）引用文献２に基く検討
　ここで、引用文献２には、上記第４の２に摘記したとおり、魚介類用飼料に用いる植物搾汁滓の一例として、ルイボス茶が示されている。しかしながら、引用文献２における植物搾汁滓は、それ自体は極めて利用価値の少ない材料であるが（段落【００１７】参照）、電子線照射により反応活性を高めたうえで菌糸型真菌と酵母型真菌とを加えて発酵させる場合には、発酵蛋白飼料の有利な材料とすることができる（段落【００１０】、【００２７】及び【００４５】参照）という、特定の条件下では有用な材料という位置づけである。そして、引用文献２における植物搾汁滓の例示の中で、「ルイボス茶」が当該特定の条件下において、あるいは当該特定の条件を離れた何らかの点で、他の植物搾汁滓より有利であること等は、記載も示唆もされていない。
　そのため、引用文献２中に「ルイボス茶」の記載が存在するからといって、引用発明１において「バジル」と組み合わせて使用する植物として、「ルイボス」を選択して追加することが、引用文献２に示唆されているということはできない。
　また、引用文献２に「ルイボス茶」が記載されることから、「ルイボス」自体が「茶」等として利用される植物として周知であるとしても、「ルイボス」自体が周知であることをもって、引用発明１における「バジル」と組み合わせる植物として、引用文献１中に記載のない「ルイボス」を追加することが、当業者に示唆されていたということもできない。
（３）引用文献３に基く検討
　引用文献３には、上記第４の３に摘記したとおりの記載があり、食品添加物、消毒剤、保存料、農薬、煙草の煙、環境汚染物質、金属類など、各種の有害物質を体内から取り除くのに有用と思われる多数の生薬名があげられ、その中には「バジル」や、ルイボスと同様にマメ科の植物である「黒豆」等の植物名も含まれている。
　しかしながら、引用文献３の記載の全体を考慮しても、「ルイボス」が「バジル」と組み合わせれば何らかの有利な効果を生じること、あるいは、「ルイボス」自体が何らかの点で他の生薬あるいは植物に比して特に優れていることを示唆するような記載はない。
　そのため、引用文献３の記載の全体を考慮しても、引用発明１において、バジルと組み合わせて使用する植物として、ルイボスを選択して追加することが示唆されているということはできない。
（４）小括
　以上のとおり、上記相違点に係る本願発明の構成は、引用発明１を出発点として、引用文献２−３の記載及びそこに示される周知技術を考慮しても、本願出願前に当業者が容易に想到することができたとはいえない。 
　したがって、本願発明は、当業者であっても、引用発明１及び引用文献２−３に基いて容易に発明できたものであるとはいえない。 
　
　
第６　原査定について 
　本願発明は、前記第５で検討したとおり、当業者であっても、原査定において引用された引用文献１−３に基いて、容易に発明できたものとはいえない。 
　したがって、原査定の理由を維持することはできない。 
　
　
第７　むすび 
　以上のとおり、原査定の理由によっては、本願を拒絶することはできない。 
　また、他に本願を拒絶すべき理由を発見しない。 
　よって、結論のとおり審決する。